(57)【要約】      （修正有）【課題】収容された薬剤を容易かつ確実に取り出して使用することができる二次包装体を提供する。【解決手段】薬剤Ｃが収容された二次包装体１であって、上方に開放された受容空間Ｓを有する容器１０と、容器１０に接続された蓋体２０とを備えており、蓋体２０は、薬剤Ｃが収容された収容部が膨出しているＰＴＰ包装体３０を保持している蓋板２１を備え、蓋板２１は、ヒンジ構造２５によって回動することにより、受容空間Ｓの上方を開放する開状態と、受容空間Ｓの上方を覆う閉状態とを取り得るものであり、蓋板２１が閉状態のとき、ＰＴＰ包装体３０の収容部が上方に膨出している状態で受容空間Ｓの上方に位置し、収容部を上から押圧することにより、薬剤ＣをＰＴＰ包装体３０の収容部から容器１０の受容空間Ｓ内に押し出すことができる二次包装体１。【選択図】図１
2018104097.tif 000002
【特許請求の範囲】
【請求項１】
薬剤が収容された二次包装体であって、
上方に開放された受容空間を有する容器と、前記容器に接続された蓋体とを備えており、
前記蓋体は、前記薬剤が収容された収容部が膨出しているＰＴＰ包装体を保持している蓋板を備え、
前記蓋板は、ヒンジ構造によって回動することにより、前記受容空間の上方を開放する開状態と、前記受容空間の上方を覆う閉状態とを取り得るものであり、
前記蓋板が閉状態のとき、前記ＰＴＰ包装体の前記収容部が上方に膨出している状態で前記受容空間の上方に位置し、前記収容部を上から押圧することにより、前記薬剤を前記ＰＴＰ包装体の前記収容部から前記容器の前記受容空間内に押し出すことができる、二次包装体。
【請求項２】
前記容器と前記蓋体とが、別々の部材により構成されている、請求項１に記載の二次包装体。
【請求項３】
前記蓋体が、前記容器に離脱可能に接続されている、請求項１または２に記載の二次包装体。
【請求項４】
前記蓋体には、服薬管理に使用するための綴じ穴が形成されている、請求項３に記載の二次包装体。
【請求項５】
前記容器が、シート状の基材の一部が筒状に折り曲げられて形成された複数の側壁であって、全体として前記収容空間を取り囲んでいる複数の側壁を備えており、
前記複数の側壁は、挿入片を備えた第１の側壁と、前記挿入片と係合する溝及び前記溝と接続している切欠が形成された第２の側壁とを少なくとも備えており、
前記第２の側壁は、前記溝内及び前記切欠内に前記挿入片が挿入されることによって第１の側壁に接続されており、
前記切欠は、下方に向かうにつれ第１の側壁に向かっている斜辺であって、前記挿入片が前記切欠内に挿入される際に、前記溝と前記切欠との接続部分よりも第１の側壁から遠い位置において挿入片の先端と当接しつつ、前記先端を下方に向かって案内可能な斜辺を備えていると共に、前記先端が案内されている間に、前記シート状の基材の前記切欠内における移動を阻害しない広さを有する空間を有している、請求項１〜４のいずれか１項に記載の二次包装体。
【請求項６】
前記収容部の膨出方向の高さが、前記容器の上下方向の高さよりも小さい、請求項１〜５のいずれか１項に記載の二次包装体。
【請求項７】
前記蓋板が開状態で、かつ、前記蓋板に保持された前記ＰＴＰ包装体の前記収容部が下方に膨出している状態で、前記二次包装体が筒状の包装体収容ケース内に収容されている、請求項６に記載の二次包装体。
【発明の詳細な説明】
【技術分野】
【０００１】
本発明は、薬剤が収容されたＰＴＰ包装体を保持する二次包装体に関する。
【背景技術】
【０００２】
従来、医薬用錠剤やカプセル剤等の薬剤を収容する包装体として、ＰＴＰ（Press Through Package）とよばれる包装体が使用されている。ＰＴＰ包装体は、一般的に、薬剤が収容された収容部と、収容部の内部空間を塞ぐ封止材とを備えている。このようなＰＴＰ包装体を使用する際には、収容部の外側から内部の錠剤を押圧して封止材を突き破らせることにより、薬剤が収容部の外に押し出される。
【０００３】
通常、ＰＴＰ包装体から押し出された薬剤は、手などを使って受け取る必要がある。このとき、押し出された薬剤が転がったり、薬剤を押し出した際に薬剤が勢いよく飛び出してしまったりする等の理由により、薬剤が手などから零れ落ちることがある。受け取りに失敗した薬剤は、床や地面等の清潔でない環境に落下することがあり、それにより薬剤が汚染されてしまうことがある。この問題は、免疫力の低下した患者に提供するための薬剤では、特に深刻である。
【０００４】
このような問題を解決するため、ＰＴＰ包装体から押し出された薬剤を確実に受け取る手段が提案されている。例えば、特許文献１には、ＰＴＰシートが表面側保持片と裏面側保持片にて挟持され、裏面側保持片の落下孔に受皿部材が内嵌された包装容器が開示されている。また、特許文献２には、ＰＴＰシートが取り付けられて、該ＰＴＰシートから押し出された薬剤等の収容物を内部空間に落下させる透孔と、内部空間に落下した収容物を取り出す取出口とが設けられた箱体を備えた包装用箱が開示されている。
これらの包装容器又は包装用箱は、ＰＴＰシートの薬剤等の内容物を押し出すと、内容物が受皿部材又は箱体内に落下するように構成されている。斯かる構成により、薬剤等の内容物を受皿部材内に受け取ることができる。
【先行技術文献】
【特許文献】
【０００５】
【特許文献１】特開２０１５−１６６２６２号公報
【特許文献２】特開２０１６−１３８４０号公報
【発明の概要】
【発明が解決しようとする課題】
【０００６】
しかしながら、特許文献１及び２の包装容器では、ＰＴＰシートが受皿部材又は箱体の上面を覆った状態で固定されているため、ＰＴＰシートから薬剤等の内容物を押し出した後に、受皿部材又は箱体内の内容物を取り出すためには、別途取り出し口を準備しておく必要がある。
具体的には、特許文献１の包装容器は、受皿部材の端部に取り出し口が設けられており、この取り出し口は、ＰＴＰシートから薬剤等の内容物を押し出した後に、該端部を覆う蓋部材を開放させたり、受皿部材をスライド移動させたりすることによって露出させられる。しかしながら、このような包装容器では、薬剤を押し出すための空間とは別途取り出しのための空間を容器内に設ける必要がある構造上、取り出し口が狭くなるといった問題がある。そのため、押し出された内容物を取り出す際に、容器をひっくり返して小さい取り出し口から内容物を転がり出させる必要があり、転がり出た内容物を手などにより受け取る際に、手などから零れ落ちやすいといった問題がある。
また、特許文献２の包装容器は、箱体の側部に取り出し口が設けられているが、ＰＴＰシートから内容物を押し出す際又は押し出した後において、押し出された内容物が該取り出し口を通って受皿部材又は箱体の外へと零れてしまうことがあるといった問題がある。
【０００７】
本発明は、上記の問題点等に鑑み、ＰＴＰシート内に収容された薬剤を容易かつ確実に取り出すことができ、それによって薬剤を安全に使用することができる二次包装体を提供することを課題とする。
【課題を解決するための手段】
【０００８】
本発明に係る二次包装体は、薬剤が収容された二次包装体であって、上方に開放された受容空間を有する容器と、前記容器に接続された蓋体とを備えており、前記蓋体は、前記薬剤が収容された収容部が膨出しているＰＴＰ包装体を保持している蓋板を備え、前記蓋板は、ヒンジ構造によって回動することにより、前記受容空間の上方を開放する開状態と、前記受容空間の上方を覆う閉状態とを取り得るものであり、前記蓋板が閉状態のとき、前記ＰＴＰ包装体の前記収容部が上方に膨出している状態で前記受容空間の上方に位置し、前記収容部を上から押圧することにより、前記薬剤を前記ＰＴＰ包装体の前記収容部から前記容器の前記受容空間内に押し出すことができる二次包装体である。
【０００９】
斯かる構成によれば、本発明の二次包装体は、ＰＴＰ包装体を保持する蓋板をヒンジ構造によって回動することにより、比較的簡易な構造により容器を開閉可能にすることができる。また、本発明の二次包装体は、蓋体を閉じた状態において、蓋体に保持されたＰＴＰ包装体の収容部を上から押圧することにより、受容空間が確実に閉じられた状態で、薬剤をＰＴＰ包装体の収容部から容器の受容空間内に容易かつ確実に押し出すことができる。また、その後に蓋体を開いた状態にすることで、容器の受容空間内に押し出された薬剤を、開放された容器の受容空間の上方から容易かつ確実に取り出して使用することができる。
【００１０】
また、本発明に係る二次包装体においては、好ましくは、前記容器と前記蓋体とが、別々の部材により構成されている。斯かる構成にすることで、製造時において、薬剤を保持するＰＴＰ包装体を前記蓋体に収容させ、その後に受容空間を有する容器に接続させることができる。そのため、製造時におけるコスト、時間および手間を軽減させることができる。
【００１１】
さらに、本発明に係る二次包装体においては、前記蓋体が、前記容器に離脱可能に接続されていてもよく、好ましくは、前記蓋体が、前記容器に着脱可能に接続されている。斯かる構成によれば、医療従事者は、患者が薬剤を服薬した後に蓋体を取り外して、薬剤が取り出された後の蓋体を収集することにより、患者が薬剤を服薬したことの記録を残すことができる。
【００１２】
このとき、好ましくは、前記蓋体には、服薬管理に使用するための綴じ穴が形成されている。斯かる構成によれば、医療従事者は、蓋体に設けられた綴じ穴にリング等を通すことによって、二次包装体から取り外した蓋体を加工する必要なく、リングファイル等からなる服薬管理台帳に直接綴じることが可能になる。そのため、患者の服薬管理が容易になる。
【００１３】
さらに、本発明に係る二次包装体においては、好ましくは、前記容器が、シート状の基材の一部が筒状に折り曲げられて形成された複数の側壁であって、全体として前記収容空間を取り囲んでいる複数の側壁を備えており、前記複数の側壁は、挿入片を備えた第１の側壁と、前記挿入片と係合する溝及び前記溝と接続している切欠が形成された第２の側壁とを少なくとも備えており、前記第２の側壁は、前記溝内及び前記切欠内に前記挿入片が挿入されることによって第１の側壁に接続されており、前記切欠は、下方に向かうにつれ第１の側壁に向かっている斜辺であって、前記挿入片が前記切欠内に挿入される際に、前記溝と前記切欠との接続部分よりも第１の側壁から遠い位置において挿入片の先端と当接しつつ、前記先端を下方に向かって案内可能な斜辺を備えていると共に、前記先端が案内されている間に、前記シート状の基材の前記切欠内における移動を阻害しない広さを有する空間を有している。
斯かる構成によれば、上記容器を組み立てる場合において、第１の側壁の挿入片を切欠内に挿入する際に、挿入片は溝と切欠との接続部分より第１の側壁から離れた位置において切欠の斜辺に当接するので、挿入片を第２の側壁に形成された溝及び切欠内に容易に挿入できる。さらに、切欠内に挿入された挿入片が、切欠の斜辺に案内されて第１の側壁側に戻されるため、切欠内に挿入された挿入片の角度が比較的立った状態となり、かつ溝と挿入片とが係合している。したがって、容器の受容空間を取り囲む側壁を比較的容易に組み立てることができると共に、製造された容器の上からの力に対する強度が向上し得る。
【００１４】
また、本発明に係る二次包装体においては、好ましくは、前記収容部の膨出方向の高さが、前記容器の上下方向の高さよりも小さい。斯かる構成によれば、ＰＴＰ包装体の収容部が衝撃を受け難くなり、特に、蓋板を大きく開いた際、容器が載置されている机上や周囲の障害物に該収容部が衝突して衝撃を受けることが少なくなるという利点を有する。
また、蓋板が開状態かつ蓋板に保持されたＰＴＰ包装体の収容部が下方に膨出している状態の二次包装体を、筒状の包装体収容ケースや外箱内に収容する場合において、包装体収容ケースや外箱の内壁に該収容部が衝突することを避けることができるため、容易に収容させることができる。
【００１５】
このとき、好ましくは、前記蓋板が開状態で、かつ、前記蓋板に保持された前記ＰＴＰ包装体の前記収容部が下方に膨出している状態で、前記二次包装体が筒状の包装体収容ケース内に収容されている。このように、包装体収容ケース内に収容された二次包装体は、さらなる外箱に収容することが可能である。この場合、二次包装体は、ＰＴＰ包装体の収容部が包装体収容ケースの壁面および外箱の壁面から隔離された状態で包装体収容ケース内に収容される。そのため、二次包装体は、包装体収容ケースの外壁又は包装体収容ケースがさらに収容された外箱に衝撃が加えられた場合であっても該収容部に衝撃が伝わり難いという利点を有する。
また、包装体収容ケースがさらなる外箱に収容される場合には、流通情報については外箱の外壁に、患者が必要とする情報については筒状の包装体収容ケースの外壁に記載することが可能であり、記載情報を分けることが可能という利点も有する。
【発明の効果】
【００１６】
本発明によれば、ＰＴＰシート内に収容された薬剤を容易かつ確実に取り出すことができ、それによって薬剤を安全に使用することができる二次包装体を提供することができる。
【図面の簡単な説明】
【００１７】
【図１】本発明の一実施形態に係る二次包装体の斜視図。
【図２】本発明の一実施形態に係る二次包装体の側断面図。該二次包装体では、蓋板が開状態であり、ヒンジ構造である折り目線が、蓋板を開く方向に９０°折れ曲がっている。
【図３】本発明の一実施形態に係る二次包装体の側断面図。該二次包装体では、蓋板が閉状態であり、ヒンジ構造である折り目線が、蓋板を閉じる方向に９０°折れ曲がっている。
【図４】本発明の一実施形態に係る二次包装体において、ＰＴＰ包装体の収容部に収容された薬剤を容器内に押し出した際の側断面図。該二次包装体では、蓋板が閉状態であり、ヒンジ構造である折り目線が、蓋板を閉じる方向に９０°折れ曲がっている。
【図５】本発明の一実施形態に係る二次包装体において、ＰＴＰ包装体の収容部に収容された薬剤を容器内に押し出した際の側断面図。該二次包装体では、蓋板が開状態であり、ヒンジ構造である折り目線が、蓋板を開く方向に折れ曲がっている。
【図６】本発明の一実施形態に係る二次包装体の分解斜視図。
【図７】本発明の一実施形態に係る二次包装体が備える蓋体について、蓋板の表面から見た平面図。
【図８】本発明の一実施形態に係る二次包装体が備える蓋体について、蓋板の裏面から見た平面図。
【図９】本発明の一実施形態に係る二次包装体が備える蓋体に保持されたＰＴＰ包装体の、収容部が膨出している方向から見た平面図。
【図１０】本発明の一実施形態に係る二次包装体が備える蓋体の展開図。
【図１１】本発明の一実施形態に係る二次包装体が備える容器の斜視図。
【図１２】本発明の一実施形態に係る二次包装体が備える容器の上面板図。
【図１３Ａ】本発明の一実施形態に係る二次包装体が備える容器の展開図。
【図１３Ｂ】図１３Ａの展開図の切欠部１５ｅ周辺を拡大した拡大図。
【図１４】本発明の一実施形態に係る二次包装体が備える容器が組み立てられる途中経過を示す平面図。
【図１５】本発明の一実施形態に係る二次包装体が備える容器が組み立てられる際に、前壁の内側面板が、右壁及び左壁の切欠部内に差し込まれる途中経過を示す部分上面板図。
【図１６】本発明の一実施形態に係る二次包装体が備える容器が組み立てられる際に、前壁の内側面板が、左壁の切欠部内に差し込まれる途中経過を示す部分側断面図。
【図１７】本発明の一実施形態に係る二次包装体が備える容器が組み立てられる際に、前壁の内側面板が、左壁の切欠部内に差し込まれた状態を示す部分側断面図。
【図１８】本発明の一実施形態に係る二次包装体が備える容器が組み立てられる際に、前壁の内側面板が、左壁の切欠部内に差し込まれた状態を示す部分上面板図。
【図１９】本発明の一実施形態に係る二次包装体が、包装体収容ケース内に収容される途中経過を示す側断面図。
【図２０】本発明の一実施形態に係る二次包装体が、包装体収容ケース及び外箱内に収容される途中経過を示す斜視図。
【図２１】本発明の他の実施形態に係る二次包装体が備える蓋体について、蓋板の表面から見た平面図。
【図２２】本発明の他の実施形態に係る二次包装体の側断面図。該二次包装体では、ヒンジ構造である折り目線が、蓋板を閉じる方向に９０°折れ曲がっている。
【図２３】本発明のさらに他の実施形態に係る二次包装体が備える容器の展開図において、切欠部１５ｅ’周辺を拡大した拡大図。
【図２４】本発明のさらに他の実施形態に係る二次包装体が備える容器が組み立てられる際に、前壁の内側面板が、左壁の切欠部内に差し込まれる途中経過を示す部分側断面図。
【図２５】本発明の別の実施形態に係る二次包装体が備える容器の展開図において、切欠部１５ｅ’’周辺を拡大した拡大図。
【発明を実施するための形態】
【００１８】
以下、図面を参照しつつ、本発明の一実施形態について説明する。ただし、下記の実施形態は、単なる例示である。本発明は、下記の実施形態に限定されない。
【００１９】
本実施形態の二次包装体１は、図１〜３に示すように、薬剤Ｃが収容された二次包装体１であって、上方に開放された受容空間Ｓを有する容器１０と、容器１０に接続された蓋体２０とを備えており、蓋体２０は、薬剤Ｃが収容された収容部３１が膨出しているＰＴＰ包装体３０を保持している蓋板２１を備え、蓋板２１は、ヒンジ構造２５によって回動することにより、受容空間Ｓの上方を開放する開状態と、受容空間Ｓの上方を覆う閉状態とを取り得るものであり、蓋板２１が閉状態のとき、ＰＴＰ包装体３０の収容部３１が上方に膨出している状態で受容空間Ｓの上方に位置し、収容部３１を上から押圧することにより、薬剤ＣをＰＴＰ包装体３０の収容部３１から容器１０の受容空間Ｓ内に押し出すことができる二次包装体１である。
以下、本明細書では、別段の指定のない限りにおいて、容器１０の受容空間Ｓが開放されている方向を上方向として説明を行う。
【００２０】
二次包装体１には、薬剤Ｃが収容されている。薬剤Ｃは、具体的には、後述するＰＴＰ包装体３０の収容部３１内に収容されている。薬剤Ｃは、例えば、錠剤（糖衣錠、フィルムコーティング錠、舌下錠、口腔内崩壊錠、バッカル錠を含む）、カプセル剤、トローチ剤等の固形製剤であり、好ましくは、錠剤またはカプセル剤であり、より好ましくは、カプセル剤である。
【００２１】
二次包装体１は、容器１０を備えている。容器１０は、図１３Ａに示す展開図に対応する平面形状を備えた厚紙を折り曲げて組み立てられるものであり、その具体的な組み立て方法については、後述する。
【００２２】
図１１及び１２に示されるように、容器１０は、平面矩形状の底面板１１と、底面板１１の四辺から立ち上がる４つの側壁１２，１３，１４，１５とにより構成されており、容器１０内には、底面板１１及び略同じ高さの側壁１２，１３，１４，１５とに囲まれ、上方が開放された受容空間Ｓが形成されている。
受容空間Ｓは、二次包装体１に収容された薬剤Ｃを容器１０内に押し出す際に、押し出された薬剤Ｃが受容される空間である。受容空間Ｓは、その内部に押し出された薬剤Ｃを容易に指でつまんで取り出し得る程度の広さを有していることが好ましい。例えば、受容空間Ｓ上方の開口は、３０ｍｍ四方以上、より好ましくは４０ｍｍ四方以上の開口寸法を有していてもよく、１００ｍｍ四方以下の開口寸法を有していてもよい。また、受容空間Ｓの下方への最大深さは、３０ｍｍ以下であってもよい。
【００２３】
側壁１２，１３，１４，１５は、具体的には、底面板１１の前後方向に対向する一対の辺の全域から立ち上がる前壁及び後壁１２，１３と、前壁１２と後壁１３との間において、底面板１１の左右方向に対向する一対の辺から立ち上がる右壁及び左壁１４，１５とからなる。
【００２４】
側壁１２，１３，１４，１５は、２枚の厚紙からなる壁面より構成された二重壁としてそれぞれ形成されている。具体的には、側壁１２，１３，１４，１５は、底面板１１の四辺に接続されて立ち上がる外側面板１２ａ，１３ａ，１４ａ，１５ａと、底面板１１の面上から立ち上がり、外側面板１２ａ，１３ａ，１４ａ，１５ａと間隔を隔てて略平行に対向する内側面板１２ｂ，１３ｂ，１４ｂ，１５ｂと、外側面板１２ａ，１３ａ，１４ａ，１５ａの上辺と内側面板１２ｂ，１３ｂ，１４ｂ，１５ｂの上辺とを接続する上面板１２ｃ，１３ｃ，１４ｃ，１５ｃによりそれぞれ構成される。
側壁１２，１３，１４，１５の幅（すなわち、上面板１２ｃ，１３ｃ，１４ｃ，１５ｃの幅）は、容器の寸法、使用する厚紙の種類、および坪量に応じて、適宜設定される。例えば、容器の寸法が１００ｍｍ四方以下であり、厚紙がバージンパルプ１００％であり、その坪量が３１０ｇ／ｍ2である場合には、前記各側壁の幅は、通常５〜１０ｍｍの範囲に設定される。
本実施形態では、前壁１２及び右壁及び左壁１４，１５の上面板１２ｃ，１４ｃ，１５ｃは、容器１０に取り付けられた蓋体２０を閉じた時に、蓋体２０の蓋板２１が載置される面である。
【００２５】
前壁１２及び後壁１３の内側面板１２ｂ，１３ｂの左右方向側端部は、それらの右方向側端部が右壁１４に形成された溝１４ｄ，１４ｄ及び溝１４ｄ，１４ｄと接続して受容空間Ｓに面する切欠部１４ｅ，１４ｅ内に、それらの左方向側端部が左壁１５に形成された溝１５ｄ，１５ｄ及び溝１５ｄ，１５ｄと接続して受容空間Ｓに面する切欠部１５ｅ，１５ｅ内に差し込まれている。この差し込みにより、前壁１２及び後壁１３と、右壁１４及び左壁１５とが接続されている。
【００２６】
切欠部１４ｅ，１４ｅ及び１５ｅ，１５ｅは、その切欠かれた形状が、底面板１１側を頂点とする略逆三角錐形状となっている。切欠部１４ｅ，１４ｅ及び１５ｅ，１５ｅは、本実施形態の容器１０を組み立てる際に有用な部分であり、その作用については後述する。
【００２７】
なお、後壁１３に隣接する溝１４ｄ，１５ｄ及び切欠部１４ｅ，１５ｅは、後述する蓋体２０の差し込み片２８が差し込まれる部分でもある。
【００２８】
容器１０には、蓋体２０が接続されている。本実施形態では、蓋体２０は、容器１０に着脱可能に接続されている。そのため、蓋体２０は、患者が薬剤を服薬した後に取り外されて、後述する服薬管理に使用されることができる。
蓋体２０は、図１０に示す展開図に対応する平面形状を備えた厚紙を折り曲げ、内部にＰＴＰ包装体３０を挟み込んだ状態で組み立てられるものである。以下、蓋体２０について詳述する前に、図７〜９を参照して、蓋体２０に保持されるＰＴＰ包装体３０について説明する。
【００２９】
ＰＴＰ包装体３０は、膨出した略半球形状の表面を有する収容部３１と、収容部３１の周縁から外方に延びるように延設されたシート状のフランジ部３２とを有する。収容部３１内部の収容空間には薬剤Ｃが収容されており、該収容空間は、封止材３５により封止されている。
収容部３１及びフランジ部３２を形成している基材は、例えば、ポリエチレン、ポリプロピレン、ポリエチレンテレフタレート、ポリ塩化ビニル、ポリクロロトリフルオロエチレン（ＰＣＴＦＥ）等の樹脂材料や、これら樹脂材料にアルミニウムを貼り合わせた材料などにより形成することができる。
封止材３５は、薬剤Ｃを押圧されることによって突き破られ得る程度の強度を有する材質からなり、例えば、アルミニウム箔、グラシン紙、合成樹脂フィルム、またはこれらの積層体などにより形成することができる。
【００３０】
蓋体２０に戻り説明すると、図７〜１０に示すように、蓋体２０は、ＰＴＰ包装体３０を挟み込んで保持している矩形状の蓋板２１を備えている。具体的には、蓋板２１は、表面板２１ａと裏面板２１ｂとからなり、表面板２１ａ及び裏面板２１ｂは、窓穴２２ａ及び２２ｂが略中央にそれぞれ形成された略同一形状の矩形状である。本実施形態では、表面板２１ａ及び裏面板２１ｂは、互いの一辺が折り線２１ｃを介して連接されており、折り線２１ｃにおいて約１８０°折り曲げられることにより、表面板２１ａと裏面板２１ｂとが（ＰＴＰ包装体３０を介して）重ね合わせられる。
蓋板２１は、ＰＴＰ包装体３０の収容部３１を、窓穴２２ａを通して外部に膨出させた状態で、ＰＴＰ包装体３０のフランジ部３２を表面板２１ａと裏面板２１ｂとの間に挟み込んで保持している。このとき、窓穴２２ｂからは、封止材３５が露出している。
蓋板２１の大きさは、容器１０上に載置された際に容器１０の受容空間Ｓの上方を覆い得るような大きさである。具体的には、蓋板２１の前後方向の幅は、容器１０の前壁１２の内側面板１２ｂと後壁１３の内側面板１３ｂとの間の長さよりも大きいことが好ましく、蓋板２１の左右方向の幅は、容器１０の右壁１４の内側面板１４ｂと左壁１５の内側面板１５ｂとの間の長さよりも大きいことが好ましい。
【００３１】
蓋板２１には、差し込み片２８が接続されている。具体的には、蓋板２１と差し込み片２８とは、互いの一辺が折り目線２５（ヒンジ構造２５）を介して連接されている。
【００３２】
蓋板２１の一辺には、折り目線２５を介して差し込み片２８が連接されている。すなわち、蓋体２０は、蓋板２１と差し込み片２８とが、折り目線２５を介して連接されたものであり、折り目線２５に沿って折れ曲がることができる。詳細には、蓋体２０は、蓋板２１と差し込み片２８との間の角度が±９０°程度となり得るように、折り目線２５に沿って折れ曲がることができる。
差し込み片２８は、蓋体２０を容器１０に接続させる際に、容器１０の溝１４ｄ，１５ｄ内に差し込まれる部分である。そのため、差し込み片２８の幅（折り目線２５の延びる方向の長さ）は、後壁１３の（左右方向の）長さと略同じであるか、溝１４ｄ，１５ｄ内に差し込まれ得る程度に若干短い。
【００３３】
差し込み片２８の略中央部には、綴じ穴２９が形成されている。綴じ穴２９は、蓋体２０を服薬管理台帳等に綴じる際に用いられるものであり、その具体的な使用方法については、後述する。
【００３４】
差し込み片２８には、さらに折り返し片２８ａが折り目を介して連接されている。折り返し片２８ａは、該折り目に沿って、蓋板２１の折れ曲がる方向と同じ方向（例えば、蓋板２１が山折りされている場合には、山折り方向）に約１８０°折り曲げられている。また、折り返し片２８ａには、上記のように折り曲げられた際に差し込み片２８の綴じ穴２９と重なる位置に、綴じ穴２９が形成されている。
【００３５】
本実施形態の二次包装体１では、蓋体２０は、図６に示すように、蓋体２０の差し込み片２８が容器１０の後壁１３に隣接する溝１４ｄ，１５ｄ内に差し込まれることによって、容器１０に接続されている。
このようにして蓋体２０が容器１０に接続されることにより、蓋体２０の差し込み片２８は、容器１０の後壁１３に隣接する溝１４ｄ，１５ｄ内にて後壁１３と右壁及び左壁１４，１５とに挟み込まれることによって、後壁１３の内側面板１３ｂに実質的に面した状態で保持される。
【００３６】
このとき、溝１４ｄ，１５ｄ内に差し込まれた差し込み片２８に約１８０°折り曲げられた折り目を介して連接している折り返し片２８ａは、後壁１３の内側面板１３ｂ側に折り返された状態となっており、内側面板１３ｂと当接している。ここで、該折り目は、折り曲げに対する反発力として、差し込み片２８と折り返し片２８ａとの間をＶ字状に広げるような力を、差し込み片２８と折り返し片２８ａとに作用させている。これにより、差し込み片２８及び折り返し片２８ａは、溝１４ｄ，１５ｄ及び内側面１３ｂをそれぞれ押さえつけたような状態となるため、溝１４ｄ，１５ｄ内からさらに抜けにくくなる。
【００３７】
また、蓋体２０の折り目線２５は、後壁１３と右壁及び左壁１４，１５とに挟み込まれないよう、側壁１３，１４，１５の上辺（すなわち、内側面板１３ｂ，１４ｂ，１５ｂの上辺）と略同じ高さ又はそれらより若干上方の位置となるように調節される。これにより、容器１０に取り付けられた蓋体２０の蓋板２１は、折り目線２５を中心に、差し込み片２８を固定している容器１０に対してヒンジ式に回動可能となる。そして、蓋板２１が、差し込み片２８に対して、すなわち差し込み片２８に実質的に面している後壁１３の内側面板１３ｂに対して、前壁１２方向に傾くように略９０°回動することにより、蓋板２１が前壁１２及び右壁及び左壁１４，１５の上面板１２ｃ，１４ｃ，１５ｃ上に実質的に載置され、容器１０の側壁１２，１３，１４，１５に囲まれた受容空間Ｓの上方を覆う閉状態となることができる。
【００３８】
またこのとき、蓋体２０は、折り目線２５が折れ曲がっていない場合において、蓋体２０の蓋板２１の表面板２１ａが後側、裏面板２１ｂが前側を向くような向きで、容器１０に接続される。このように接続されることにより、蓋体２０の蓋板２１を閉状態とした際に、蓋板２１内に保持されたＰＴＰ包装体３０の収容部３１が、上方に膨出している状態で受容空間Ｓの上方に位置することとなり、その裏側では、収容部３１を覆う封止材３５が、受容空間Ｓに面して露出することとなる。
【００３９】
このようにして蓋板２１を閉状態とした際に、収容部３１を上から押圧すると、押圧された収容部３１が陥没するように変形し、収容部３１内に収容されている薬剤Ｃが変形した収容部３１を介して押圧される。押圧された薬剤Ｃは、収容部３１を封止している封止材３５を突き破り、容器１０の受容空間Ｓ内へと落下する。したがって、上述のように蓋体２０が容器１０に接続された本実施形態の二次包装体１では、蓋体２０に保持されたＰＴＰ包装体３０に収容された薬剤Ｃを、容器１０の受容空間内へと容易かつ確実に押し出すことができる。
【００４０】
次に、本実施形態の二次包装体１の製造方法の一例について説明する。
【００４１】
まず、容器１０及び蓋体２０をそれぞれ用意する。このように、本実施形態の二次包装体１では、容器１０と蓋体２０とが別々の部材により構成されているため、各部品の構造が比較的簡易となると同時にこれらを別々に製造することができるようになる。そのため、二次包装体１の製造時におけるコスト、時間および手間を軽減することができ、二次包装体１の生産性を向上させることができる。
以下の説明においては、容器１０の作製方法を説明した後に蓋体２０の作製方法を説明するが、このような説明の順番は、容器１０及び蓋体２０の作製順序を限定するものではない。
【００４２】
容器１０を作製するにあたり、まず、図１３Ａに示す展開図に対応する平面形状を備えた厚紙１０を用意する。なお、容器１０の展開図を示す図面はいずれも、容器１０を組み立てた際に受容空間Ｓが開放される方向（上方向）から見た図であって、これらの図中では、輪郭線及び切込線を実線で表し、谷折り線を破線、山折り線を一点鎖線で示す。また、以下の説明において、特に付記しない限り、各面は略矩形状である。
【００４３】
図１３Ａに示したように、上記厚紙１０は、底面板１１と、底面板１１の四辺から延びている４つの延出片１２，１３，１４，１５を備えている。底面板１１と、これら４つの延出片１２，１３，１４，１５とは、それぞれ谷折り線を介して連接されている。なお、これら４つの延出片１２，１３，１４，１５は、厚紙１０が組み立てられた際に、側壁１２，１３，１４，１５となる部分である。
以下、これら４つの延出片のそれぞれに関して、該面の延びる方向を前方、該方向と直交する外向きの方向を側方と称して説明する。
【００４４】
前壁及び後壁１２，１３となる延出片１２，１３は、それぞれ、矩形状の底面板１１の対向する一対の辺から延びており、外側面板１２ａ，１３ａと、上面板１２ｃ，１３ｃと、内側面板１２ｂ，１３ｂとを、前方に向かってこの順番で備えている。これらの面はそれぞれ、谷折り線を介して連接されている。
【００４５】
上面板１２ｃ，１３ｃの側方両端には、前方に向かって僅かに突出した突出部１２ｃ１，１２ｃ１及び１３ｃ１，１３ｃ１が形成されており、内側面板１２ｂ，１３ｂの側方両端は、上面板１２ｃ，１３ｃの突出部１２ｃ１，１２ｃ１及び１３ｃ１，１３ｃ１を受けるように凹入した形状の陥没部１２ｂ１，１２ｂ１及び１３ｂ１，１３ｂ１が形成している。ここで、突出部１２ｃ１，１２ｃ１及び１３ｃ１，１３ｃ１と、陥没部１２ｂ１，１２ｂ１及び１３ｂ１，１３ｂ１との境界は切り込まれて、切り込み１２ｄ，１３ｄとなっている。そして、上面板１２ｃ，１３ｃと内側面板１２ｂ，１３ｂとを連接する谷折り線は、突出部１２ｃ１と１２ｃ１との、及び、１３ｃ１と１３ｃ１との根元同士を接続するように、それぞれ直線状に延びている。
【００４６】
また、内側面板１２ｂ，１３ｂは、その前方の辺が短くなっている略台形形状となっており、一対の側方の辺が、外方に膨らむように丸みを帯びている。
【００４７】
右壁及び左壁１４，１５となる延出片１４，１５は、それぞれ、矩形状の底面板１１の別の対向する一対の辺から延びており、外側面板１４ａ，１５ａと、上面板１４ｃ，１５ｃと、内側面板１４ｂ，１５ｂとを、前方に向かってこの順番で備えている。これらの面はそれぞれ、谷折り線を介して連接されている。
【００４８】
外側面板１４ａ，１５ａの側方の両辺からは、フラップ１４ｆ，１４ｆ及び１５ｆ，１５ｆが延びている。外側面板１４ａ，１５ａとフラップ１４ｆ，１４ｆ及び１５ｆ，１５ｆとは、それぞれ谷折り線を介して連接されている。
【００４９】
右壁及び左壁１４，１５となる延出片１４，１５の側方両辺付近には、その上面板１４ｃ，１５ｃ上において、外側面板１４ａ，１５ａと上面板１４ｃ，１５ｃとを連接する谷折り線（上面板１４ｃ，１５ｃの後方の辺）から垂直に、所定の長さの溝１４ｄ，１４ｄ及び１５ｄ，１５ｄが延びている。そして、溝１４ｄ，１４ｄ及び１５ｄ，１５ｄの該谷折り線と接続している端とは反対側の端が、略三角形状の切欠部１４ｅ，１４ｅ及び１５ｅ，１５ｅの頂点付近に接続している。切欠部１４ｅ，１５ｅは、上面板１４ｃ，１５ｃ及び内側面板１４ｂ，１５ｂを跨いで形成されている。
【００５０】
図１３Ｂを参照して、切欠部１４ｅ，１５ｅについて具体的に説明する。切欠部１４ｅ，１５ｅは、溝１４ｄ，１４ｄ及び１５ｄ，１５ｄの端から、上面板１４ｃ，１５ｃと内側面板１４ｂ，１５ｂとを連接する谷折り線（上面板１４ｃ，１５ｃの前方の辺かつ内側面板１４ｂ，１５ｂの後方の辺）と交わるまで、上面板１４ｃ，１５ｃ上において中央方向に向かって傾斜して延びている導入辺１４ｅ１，１５ｅ１と、該谷折り線との交点側の導入辺１４ｅ１，１５ｅ１の端から、内側面板１４ｂ，１５ｂの前方の辺と交わるまで、内側面板１４ｂ，１５ｂ上において外方に向かって傾斜して延びている案内辺１４ｅ２，１５ｅ２と、該前方の辺との交点側の該案内辺１４ｅ２，１５ｅ２の端から、溝１４ｄ，１４ｄ及び１５ｄ，１５ｄと導入辺１４ｅ１，１５ｅ１との交点に到るまで、上面板１４ｃ，１５ｃ上において略垂直に延びている配置辺１４ｅ３，１５ｅ３とに囲まれた、略三角形状の空間である。なお、本実施形態では、配置辺１４ｅ３，１５ｅ３は、溝１４ｄ，１４ｄ及び１５ｄ，１５ｄよりも僅かに外方に位置しており、溝１４ｄ，１４ｄ及び１５ｄ，１５ｄと交わる付近において、溝１４ｄ，１４ｄ及び１５ｄ，１５ｄと交わるよう内向きに曲がっている。また、案内辺１４ｅ２，１５ｅ２と配置辺１４ｅ３，１５ｅ３とが交わる頂点は、丸められた形状となっている。
【００５１】
また、右壁及び左壁１４，１５となる延出片１４，１５の前方の辺、すなわち、内側面板１４ｂ，１５ｂの前方の辺からは、底面接着面１４ｇ，１５ｇが延びている。内側面板１４ｂ，１５ｂと底面接着面１４ｇ，１５ｇとは、それぞれ山折り線を介して連接されている。
【００５２】
次に、以下のようにして、容器１０を組み立てる。まず、図１４に示すように、厚紙１０の右壁及び左壁１４，１５となる延出片１４，１５を、外側面板１４ａ，１５ａと上面板１４ｃ，１５ｃとを連接する谷折り線に沿って折り曲げて、底面板１１と底面接着面１４ｇ，１５ｇとを重ね合わせ、底面板１１と底面接着面１４ｇ，１５ｇとを接着する。
続いて、延出片１４，１５のそれぞれの折り線を折り曲げて、延出片１４，１５がそれぞれの折り線に沿って略９０°ずつ折れ曲がった状態とし、それにより右壁及び左壁１４，１５を構築する。これにより、溝１４ｄ，１４ｄ及び１５ｄ，１５ｄと、底面板１１側を頂点とする逆三角錐形状の断面を有する切欠部１４ｅ，１４ｅ及び１５ｅ，１５ｅとが形成された右壁及び左壁１４，１５が構築される。
【００５３】
次に、厚紙１０の前壁及び後壁１２，１３となる延出片１２，１３を折り曲げると共に、前壁及び後壁１２，１３の内側面板１２ｂ，１３ｂの側方両端を、右壁及び左壁１４，１５に形成された切欠部１４ｅ，１４ｅ及び１５ｅ，１５ｅ内へと差し込む。これにより、前壁及び後壁１２，１３を構築すると共に、右壁及び左壁１４，１５を固定して、容器１０を完成させる。
【００５４】
内側面板１２ｂ，１３ｂを切欠部１４ｅ，１４ｅ及び１５ｅ，１５ｅ内へと差し込むメカニズムについて、挿入片としての内側面板１３ｂ及び切欠部１５ｅに注目し、図１５〜１８を用いて具体的に説明する。図１５及び１６は、内側面板１３ｂの側方端部（以下、単に内側面板１３ｂと称する）を、切欠部１５ｅ内に差し込み始めたときの状態を示す。まず、内側面板１３ｂの前方を、導入辺１５ｅ１に沿って切欠部１５ｅ内へと入り込ませる。内側面板１３ｂは、その前方の幅が右壁及び左壁１４，１５の内側面板１４ｂ，１５ｂの間の距離よりも長く、かつ溝１４ｄ，１５ｄの内方（受容空間Ｓ側）の端部間の距離よりも短くなっているため、切欠部１５ｅ内へと容易に入り込むことができる。
【００５５】
内側面板１３ｂを導入辺１５ｅ１に沿って切欠部１５ｅ内に入り込ませると、内側面板１３ｂの側方の丸みを帯びた辺が、導入辺１５ｅ１に当接する。この状態から内側面板１３ｂを押し込むと、内側面板１３ｂの側方の該辺と導入辺１５ｅ１との当接する部分が切欠部１５ｅの外方（左壁１５の端側）へと移動してゆき、やがて内側面板１３ｂの側方の該辺が導入辺１５ｅ１の端部と接続している溝１５ｄへと案内される。これにより、内側面板１３ｂの側方の端が、溝１５ｄに挟み込まれる。
【００５６】
上記状態から内側面板１３ｂを押し込み続けると、次に、図１６に示すように、内側面板１３ｂの前方の辺が、溝１５ｄと切欠部１５ｅとの接続部分よりも後壁１３から遠い位置において、案内辺１５ｅ２に当接する。この状態から内側面板１３ｂを押し込むと、内側面板１３ｂが案内辺１５ｅ２と当接しつつ、外方（左壁１５の端側）に向かって傾く案内辺１５ｅ２に沿って斜め下方へと移動してゆき、やがて案内辺１５ｅ２の下方の端部まで案内される。これにより、内側面板１３ｂの前方の辺は、切欠部１５ｅでの移動を阻害されることなく、切欠部１５ｅの最深部（すなわち、底面板１１の高さ）まで案内されて、切欠部１５ｅ内にほぼ完全に差し込まれる。
【００５７】
内側面板１３ｂの前方の辺が切欠部１５ｅ内にほぼ完全に差し込まれると、図１７に示すように、溝１５ｄ及び切欠部１５ｅを介して左壁１５に接続された後壁１３が構築される。このとき、内側面板１３ｂは、切欠部１５ｅの略垂直な配置辺１５ｅ３にほぼ面して配置され、底面板１１より略垂直に立ち上がる後壁１３の内側面を形成する。
【００５８】
このように、本実施形態における容器１０の作製では、内側面板１３ｂを切欠部１５ｅ内に挿入する際に、内側面板１３ｂは溝１５ｄと切欠部１５ｅとの接続部分より第１の側壁から離れた位置において切欠部１５ｅの案内辺１５ｅ２に当接するので、内側面板１３ｂを第２の側壁に形成された溝１５ｄ及び切欠部１５ｅ内に容易に挿入できる。したがって、後壁１３を比較的容易に組み立てることができる。
さらに、切欠部１５ｅ内に挿入された内側面板１３ｂが、切欠部１５ｅの案内辺１５ｅ２に案内されて後壁１３側に戻されるため、切欠部１５ｅ内に挿入された内側面板１３ｂの角度が比較的立った状態となり、かつ溝１５ｄと内側面板１３ｂとが係合する。したがって、後壁１３の上からの力に対する強度、及び後壁１３から離れる方向の力に対する強度が向上し得る。
【００５９】
さらに、本実施形態では、配置辺１５ｅ３は、溝１５ｄよりも僅かに外方（左壁１５の端側）に配されるように形成されているため、内側面板１３ｂは、溝１５ｄより僅かに外方（後壁１３側）に配置されることができる。このとき、内側面板１３ｂの陥没部１３ｂ１の側方長さが溝１５ｄの長さよりも長いと、図１８に示すように、溝１５ｄより差し込まれた内側面板１３ｂの陥没部１３ｂ１が、上面板１５ｃの下方（裏側）に入り込むことができる。これにより、内側面板１３ｂがほぼ完全に差し込まれた状態から内側面板１３ｂに対して上方向に力が加わったとしても、上面板１５ｃの下方に入り込んだ陥没部１３ｂ１がすぐ上に位置する上面板１５ｃに引っ掛かるため、内側面板１３ｂが切欠部１５ｅから不意に抜けることが防止される。
なお、このとき、上面板１３ｃの突出部１３ｃ１は、その先端（切り込み１３ｄ）が溝１５ｄと重なるように配置される。
【００６０】
なお、前壁及び後壁１２，１３の内側面板１２ｂ，１３ｂを切欠部１４ｅ，１４ｅ及び１５ｅ，１５ｅ内へと差し込む際に、右壁及び左壁１４，１５のフラップ１４ｆ，１４ｆ及び１５ｆ，１５ｆが、前壁及び後壁１２，１３の外側面板１２ａ，１２ｂの内面に面するようにして、前壁及び後壁１２，１３内に配される。これらのフラップ１４ｆ，１４ｆ及び１５ｆ，１５ｆは、前壁及び後壁１２，１３の内側面板１２ｂ，１３ｂが差し込まれた状態で右壁及び左壁１４，１５に上方からの圧力が加えられた際において、容器１０の立体形状を保持するのに役立つ。
【００６１】
蓋体２０は、図１０に示す展開図に対応する平面形状を備えた厚紙２０を折り曲げ、内部にＰＴＰ包装体３０を挟み込んだ状態で組み立てられることにより作製される。蓋体２０となる厚紙２０は、蓋板２１の裏面板２１ｂと、蓋板２１の表面板２１ａと、差し込み片２８と、折り返し片２８ａとを備えており、これらはこの順番で、それぞれ山折り線を介して一列に連接されている。なお、蓋板２１の裏面板２１ｂと差し込み片２８との間の折り目線２５は、山折り及び谷折りの両方が可能なヒンジ構造となる部分である。
【００６２】
蓋体２０を作製するには、まず、ＰＴＰ包装体３０を、収容部３１が表面板２１ａに形成された窓穴２２ａを通して外部に膨出するように蓋板２１の表面板２１ａ上に載置した後、蓋体２０の山折り線をそれぞれ折り曲げる。このとき、蓋板２１の山折り線を約１８０°折り曲げることにより、表面板２１ａと裏面板２１ｂとの間にＰＴＰ包装体３０を挟み込む。このとき、表面板２１ａに形成された窓穴２２ａから収容部３１が外部に膨出し、裏面板２１ｂに形成された窓穴２２ｂから収容部３１の収容空間を封止した封止材３５が露出した状態で、ＰＴＰ包装体３０が蓋体２０に保持される。
【００６３】
このようにして蓋体２０を折り曲げた後、蓋板２１の表面板２１ａと裏面板２１ｂとの外周部を互いに接着して、表面板２１ａと裏面板２１ｂとの間にＰＴＰ包装体３０に固定する。
【００６４】
このようにして容器１０及び蓋体２０を作成した後、蓋体２０の差し込み片２８を容器１０の後壁１３に隣接する溝１４ｄ，１５ｄ内に差し込むことにより、蓋体２０を容器１０に接続する。
このとき、蓋体２０の差し込み片２８の前方の幅は、右壁及び左壁１４，１５の内側面板１４ｂ，１５ｂの間の距離よりも長く、かつ溝１４ｄ，１５ｄの両頂点間距離よりも短くなっているため、差し込み片２８は、上述の容器１０の組み立ての説明において切欠部１５ｅの導入辺１５ｅ１が内側面板１２ｂを溝１５ｄへと案内されるのと同様にして、溝１４ｄ，１５ｄへと案内される。
【００６５】
このようにして蓋体２０を容器１０に接続することにより、蓋体２０の差し込み片２８は、容器１０の後壁１３に隣接する溝１４ｄ，１５ｄ内にて後壁１３と右壁及び左壁１４，１５とに挟み込むことによって、後壁１３の内側面板１３ｂに実質的に面した状態で保持され、前後方向に関して固定することができる。
【００６６】
次に、本実施形態の二次包装体１を用いて、二次包装体１に収容された薬剤Ｃを取り出す方法を、図２〜５を参照しつつ説明する。
【００６７】
薬剤Ｃを取り出す際には、まず、蓋体２０を折り目線２５に沿って略９０°折れ曲がるまで折り曲げることにより、蓋体２０の蓋板２１を、折り目線２５を中心にヒンジ式に回動させて、蓋板２１を前壁１２及び右壁及び左壁１４，１５の上面板１２ｃ，１４ｃ，１５ｃ上に載置する（図３）。これにより、受容空間Ｓの上方が蓋板２１により覆われて、受容空間Ｓの上方が蓋板２１により閉じられた状態（閉状態）となる。
【００６８】
次に、上記閉状態において、収容部３１を上から押圧して収容部３１が陥没するように変形させ、収容部３１内の薬剤Ｃを変形した収容部３１越しに下方に押圧する。押圧された薬剤Ｃは、収容部３１を封止している封止材３５を突き破り、容器１０の受容空間Ｓ内へと落下する（図４）。このようにして、薬剤Ｃは、受容空間Ｓが確実に閉じられた状態にて、容器１０の受容空間Ｓ内へと押し出される。
【００６９】
その後、受容空間Ｓの上方を閉じている蓋板２１を、折り目線２５を中心に回動させることにより、受容空間Ｓの上方を再び開いた状態（開状態）とする（図５）。この開状態において、上から薬剤Ｃを手の指でつまむ、容器１０を傾けて薬剤Ｃを手の平に落とす等の任意の方法により、容器１０の受容空間Ｓ内に押し出された薬剤Ｃを開かれた受容空間Ｓの上から取り出すことができる。
【００７０】
このようにして、本実施形態の二次包装体１では、二次包装体１の蓋体２０内に収容された薬剤Ｃを、容器１０の受容空間Ｓ内へと容易かつ確実に取り出すことができる。加えて、蓋板２１を再び開くことによって、容器１０の受容空間Ｓ内に押し出された薬剤Ｃを受容空間Ｓの上から任意の方法で取り出すことができる。
【００７１】
本実施形態の二次包装体１では、容器１０の前壁１２及び右壁及び左壁１４，１５が二重壁構造となっており、その上面板に幅広の上面板１２ｃ，１４ｃ，１５ｃが形成されている。そのため、受容空間Ｓの上方を閉じる際に、蓋板２１を上面板１２ｃ，１４ｃ，１５ｃに安定して設置することができる。
また、蓋板２１を容器１０の前壁１２及び右壁及び左壁１４，１５上に設置した状態においてＰＴＰ包装体３０の収容部３１を上から押圧すると、容器１０が設置された前壁１２及び右壁及び左壁１４，１５にも上からの圧力がかかるが、この圧力が、設置面である幅広の上面板１２ｃ，１４ｃ，１５ｃの面にかけて分散される。そのため、前壁１２及び右壁及び左壁１４，１５は、上からの圧力により潰れ難くなるという利点を有する。
【００７２】
次に、本実施形態の二次包装体１の蓋体２０を用いた、服薬管理方法について説明する。本実施形態の二次包装体１は、薬剤Ｃを取り出した後の蓋体２０を利用して、薬剤Ｃを服薬している患者の服薬管理を行うことができる。
【００７３】
上述のように、本実施形態の二次包装体１では、蓋体２０は、蓋体２０の差し込み片２８が容器１０の後壁１３に隣接する溝１４ｄ，１５ｄ内に差し込まれることによって、容器１０に接続されている。すなわち、蓋体２０は、このような構成によって、容器１０に着脱可能に接続されている。そのため、医療従事者は、二次包装体１の蓋体２０内に収容された薬剤Ｃを患者が服薬した後に蓋体２０を取り外して、薬剤Ｃが取り出された後の蓋体２０を収集することにより、患者が所定の日時において薬剤Ｃを服薬したことの記録を残すことができる。
【００７４】
ここで、蓋体２０の差し込み片２８及び折り返し片２８ａには、図７に示すように、綴じ穴２９が形成されている。そのため、医療従事者は、蓋体２０に設けられた綴じ穴２９に、紐やリング等の綴じ部材を通すことによって、二次包装体１から取り外した蓋体２０を加工する必要なく、該綴じ部材を備えたリングファイル等の服薬管理台帳に直接綴じることが可能になる。そのため、患者の服薬管理が容易になる。
なお、本実施形態の綴じ穴２９は、差し込み片２８と折り返し片２８ａとの両方に形成されており、折り返し片２８ａが差し込み片２８と重ね合わされるように折り返されることにより、これらの綴じ穴２９も重ね合わされる。これにより、綴じ穴２９周辺の構造が補強されている。
【００７５】
また、蓋体２０は、薬剤Ｃに関する情報を患者又は医療従事者に提供するため、例えば蓋板２１上において、薬剤Ｃの服薬方法や服薬指定日時等の情報が予め表示されていてもよい。
さらに、蓋体２０の表面又は裏面が厚紙等の筆記容易な材料で構成されている場合には、服薬管理において、患者又は医療従事者が、実際の服薬日時や服薬時の患者の状態、服薬日（曜日）、服用量、調剤者の氏名、患者の食事内容や生活習慣等のメモ等を蓋体２０上に記入することもできる。
【００７６】
次に、本実施形態の二次包装体１のパッケージングについて説明する。
【００７７】
本実施形態の二次包装体１がパッケージングされる際には、蓋体２０が容器１０の受容空間を閉じている状態ではなく、図１９及び２０に示すように、蓋体２０が容器１０の受容空間を開放している状態であって、かつ、蓋板２１の裏面板２１ｂが容器１０の受容空間Ｓが開放されている方向と同じ方向を向いた状態でパッケージングされることが好ましい。
図１９及び２０に示すように、二次包装体１は、容器１０の受容空間Ｓが開放されている方向が下向きとなる状態でパッケージングされることが好ましい。以下、図１９及び２０に関する説明に限り、これらの図に示されるように、容器１０の受容空間Ｓが開放されている方向を下方向として説明を行う。
【００７８】
図１９では、蓋体２０が容器１０の受容空間を閉じる方向とは逆方向に、折り目線２５に沿って略９０°折れ曲がった状態の二次包装体１が、収容方向断面が四角形状である筒状の包装体収容ケース４０内に収容されている。このとき、蓋板２１は、容器１０の底面板１１と略平行となるまで開かれている。ここで、包装体収容ケース４０の内部の高さ（上下幅）は、容器１０の高さ（上下幅）と蓋板２１の高さ（厚み）とを合わせた高さと略同じである。
【００７９】
上記のような状態で包装体収容ケース４０内に収容された二次包装体１では、蓋板２１の表面板２１ａが、裏面板２１ｂとは逆に上方を向いているため、蓋体２０に保持されたＰＴＰ包装体３０の収容部３１は、上方に向かって膨出している。ここで、本実施形態の二次包装体１では、収容部３１の膨出方向の高さが容器１０の上下方向の高さ（すなわち、包装体収容ケース４０の内部の高さ）よりも小さいため、ＰＴＰ包装体３０の収容部３１と包装体収容ケース４０の内部上面との間には、収容部３１の膨出方向の高さと包装体収容ケース４０の内部の高さとの差分の高さの空間が設けられている。
このような構成により、上記のような状態で包装体収容ケース４０内に収容された二次包装体１は、ＰＴＰ包装体３０の収容部３１が、包装体収容ケース４０の壁面から隔離された状態で収容されている。そのため、包装体収容ケース４０の外壁に衝撃が加えられた場合であっても収容部３１に衝撃が伝わり難い。そのため、不意の衝撃により収容部３１が押圧されて収容部３１の封止が破られることを抑制することができる。
【００８０】
また、図２０に示されるように、本実施形態の二次包装体１は、包装体収容ケース４０内に収容された後、さらなる外箱５０に収容されることができる。その場合には、ＰＴＰ包装体３０の収容部３１を含む二次包装体１を、衝撃からより確実に保護することができる。
このとき、医療従事者は、外箱５０から包装体収容ケース４０を取り出した後に、二次包装体１を包装体収容ケース４０内に収容された状態で患者に手渡すことができる。この場合には、包装体収容ケース４０の外壁には患者が必要とする情報のみを記載し、患者にとって不要な流通情報等（例えば、法律によりパッケージに記載することが求められた事項等）については外箱５０の外壁に記載しておけばよい。このように、包装体収容ケース４０を外箱５０に収容した本実施形態は、収容ケース４０及び外箱５０に記載する情報を分けることができるという利点も有する。
【００８１】
また、二次包装体１を包装体収容ケース４０と外箱５０との両方を用いて収容する場合には、包装体収容ケース４０には二次包装体１のみを収容し、外箱５０には包装体収容ケース４０に収容された二次包装体１に加えて、取扱説明書、添付文書、指導箋、服薬管理用のラベル、包装変更時のお知らせ、遮光袋等の付属品を共に収容していてもよく、好ましくは、取扱説明書及び添付文書を共に収容する。このように、付属品を包装体収容ケース４０内から分離して外箱５０に収容することにより、医療現場で、付属品を取り除いた後、二次包装体１が収容された包装体収容ケース４０を患者に手渡すことができる。
【００８２】
なお、本発明に係る二次包装体は、上記実施形態の構成に限定されるものではない。また、本発明に係る二次包装体の作用効果は、上記した作用効果に限定されるものでもない。本発明に係る二次包装体は、本発明の要旨を逸脱しない範囲で種々の変更が可能である。
【００８３】
例えば、上述の実施形態における二次包装体１では、蓋体２０の差し込み片２８が容器１０の溝１４ｄ，１５ｄ内に差し込まれることによって、蓋体２０が容器１０に着脱可能に接続されているが、容器１０と蓋体２０との接続は、このような形態に限られない。例えば、容器１０には、蓋体２０を取り付けるための別の取付機構が設けられていてもよい。
また、蓋体２０は、容器１０に対して着脱可能である必要は必ずしもない。例えば、蓋体２０は容器１０に接着等により固定されていてもよく、容器１０と蓋体２０とは一体に形成されていてもよい。なお、その場合であっても、蓋体２０がミシン目を介して容器１０に接続されている等によって、蓋体２０が容器１０に対して離脱可能に接続されてさえいれば、薬剤Ｃを取り出した後の蓋体２０を容器１０から離脱させる（例えば、切り離す）ことによって、薬剤Ｃを服薬している患者の服薬管理を行うことができる。
【００８４】
さらに、上述の実施形態における二次包装体１では、ヒンジ構造である折り目線２５が蓋体２０上に設けられていたが、蓋体２０をヒンジ状に回動可能なヒンジ構造は、二次包装体１の別の部分に設けられていてもよい。例えば、二次包装体では、ヒンジ構造を有する蓋体取付部が容器１０に設けられており、該蓋体取付部に蓋体が取り付けられていてもよい。また、容器１０と蓋体２０とが、ヒンジ部材を介して接続されていてもよい。
【００８５】
また、二次包装体１では、容器１０は厚紙製であったが、容器１０の材料は紙に限られない。例えば、容器１０は、図１３Ａに示す展開図に対応する平面形状を備えた、異なる材料からなるシート状の基材を折り曲げて組み立てられるものであってもよく、例えば、樹脂製のシート等より作製されていてもよい。
同様に、蓋体２０もまた紙製に限定されず、例えば、樹脂製のシート等により作製されていてもよい。
【００８６】
さらに、上述の実施形態における二次包装体１では、蓋体２０では、蓋板２１が表面板２１ａと裏面板２１ｂとの間にＰＴＰ包装体３０のフランジ部３２を挟み込んで保持していたが、蓋板２１は、上記以外の方法によりＰＴＰ包装体３０を保持していてもよい。例えば、蓋板２１は、ＰＴＰ包装体３０のフランジ部３２の外周を囲み、該フランジ部３２の外縁部を固定して保持する枠体であってもよい。
【００８７】
また、上述の実施形態における二次包装体１では、蓋体２０に保持されているＰＴＰ包装体３０は、１つの薬剤Ｃを保持する１つの収容部３１のみを備えているが、収容部３１及びこれに保持される薬剤Ｃは、複数であってもよい。例えば、二次包装体１’は、図２１及び２２に示されるように、複数の収容部３１’内に複数の薬剤Ｃ’を収容したＰＴＰ包装体３０’を蓋板２１’の間に挟み込んで保持している蓋体２０’を備えていてもよい。
なお、図２１及び２２に示される蓋体２０’には、複数（図２１及び２２では、２つ）の収容部３１に対応する窓穴２２’が形成されているが、窓穴２２’は、各収容部３１にそれぞれ１対１で対応して形成されていてもよい。
【００８８】
さらに、容器１０において、右壁１４及び左壁１５に形成される切欠部１４ｅ，１５ｅの形状は、必ずしも上述の形状に限られない。具体的には、切欠部１４ｅ，１５ｅは、下方に向かうにつれ隣接する前壁１２又は後壁１３に向かって傾斜している案内辺であって、内側面板１２ｂ，１３ｂが切欠部１４ｅ，１５ｅに挿入される際、内側面板１２ｂ，１３ｂの先端と当接しつつ該先端を下方に向かって切欠部１４ｅ，１５ｅ内の所定の位置に案内可能な案内辺１４ｅ２，１５ｅ２を備えていると共に、該先端が案内されている間に、内側面板１２ｂ，１３ｂの切欠部１４ｅ，１５ｅ内における移動を阻害しない広さを有する空間を有していればよい。なお、切欠部１４ｅ，１５ｅが、内側面板１２ｂ，１３ｂの先端が案内されている間に内側面板１２ｂ，１３ｂの切欠部１４ｅ，１５ｅ内における移動を阻害しない広さを有する空間とは、切欠部１４ｅ，１５ｅにおいて、案内辺１４ｅ２，１５ｅ２に対向する辺（上述の実施形態では、配置辺１４ｅ３，１５ｅ３）と該切欠部に近接する前壁及び後壁１２，１３と間の距離が、溝１４ｄ，１５ｄと切欠部１４ｅ，１５ｅとの接続位置と近接する該前壁及び後壁１２，１３側と間の距離に比べて近い、又はそれらの距離が同距離である（又は、該対向辺が存在しない）場合において、切欠部１４ｅ，１５ｅ内に形成される空間をいう。
例えば、右壁１４及び左壁１５に形成される切欠部は、図２３及び２４に示されるように、内方に膨らむ曲線状の案内辺１４ｅ２’，１５ｅ２’を備えた切欠部１４ｅ’，１５ｅ’であってもよい。また、右壁１４及び左壁１５に形成される切欠部は、図２５に示されるように、溝１４ｄ，１５ｄより外方に偏移しておらず、溝１４ｄ，１５ｄと一直線状となった配置辺１４ｅ３’’，１５ｅ３’’を備えた切欠部１４ｅ’’，１５ｅ’’であってもよい。
【００８９】
なお、容器１０は、上方に開放された受容空間Ｓを備えた容器であれば特に限定されず、上述の実施形態において示される平面四角形状の容器でなくてもよい。例えば、容器１０は、３つの側壁に囲まれた平面三角形状の容器であってもよい。
さらに、容器１０は、シート状の基材から組み立てられるものである必要は必ずしもない。例えば、容器１０は、その一部又は全部が射出成形等により成形された樹脂製の容器であってもよく、金属製の容器であってもよい。
同様に、蓋体２０もまた、ＰＴＰ包装体３０を保持しており、容器１０内の受容空間Ｓを閉塞することができるものであれば、上述の形態に特に限定されない。
【符号の説明】
【００９０】
１：二次包装体、１０：容器又は厚紙、１１：底面板
１２〜１５：側壁（１２：前壁、１３：後壁、１４：右壁、１５：左壁）又は延出片、
１２ａ〜１５ａ：外側面板、１２ｂ〜１５ｂ：内側面板、１２ｃ〜１５ｃ：上面板、１２ｄ〜１５ｄ：溝、１２ｅ〜１５ｅ：切欠部
１２ｅ１〜１５ｅ１：導入辺、１２ｅ２〜１５ｅ２：案内辺、１２ｅ３〜１５ｅ３：配置辺、
２０：蓋体、２１：蓋板、２１ａ：表面板、２１ｂ：裏面板、２２：窓穴、２５：折り目線（ヒンジ構造）、２８：差込片、２９：綴じ穴
３０：ＰＴＰ包装体、３１：収容部、３２：フランジ部、３５：封止材
４０：包装体収容ケース、５０：外箱
【図１】
2018104097.tif 000003
【図２】
2018104097.tif 000004
【図３】
2018104097.tif 000005
【図４】
2018104097.tif 000006
【図５】
2018104097.tif 000007
【図６】
2018104097.tif 000008
【図７】
2018104097.tif 000009
【図８】
2018104097.tif 000010
【図９】
2018104097.tif 000011
【図１０】
2018104097.tif 000012
【図１１】
2018104097.tif 000013
【図１２】
2018104097.tif 000014
【図１３Ａ】
2018104097.tif 000015
【図１３Ｂ】
2018104097.tif 000016
【図１４】
2018104097.tif 000017
【図１５】
2018104097.tif 000018
【図１６】
2018104097.tif 000019
【図１７】
2018104097.tif 000020
【図１８】
2018104097.tif 000021
【図１９】
2018104097.tif 000022
【図２０】
2018104097.tif 000023
【図２１】
2018104097.tif 000024
【図２２】
2018104097.tif 000025
【図２３】
2018104097.tif 000026
【図２４】
2018104097.tif 000027
【図２５】
2018104097.tif 000028